(57)【要約】【課題】プレキャストコンクリート版の型枠面側の表面性を向上することができ、しかも安価に製作することができるようにする。【解決手段】鉄筋をＵ字状に折り曲げて吊り下げ部２ａを設け、それぞれの先端を直角に折り曲げて配筋吊り部２ｂを設けた配筋用金具２により、交差して組まれた補強筋３、４を吊り上げる。そして、型枠内の高さ方向の位置を調整して、補強筋３のかぶり位置を出す。次に、その位置を保持した状態でコンクリートを打設する。そして、型枠底面側表面１ａがコンクリートからなり、配筋用金具２が型枠上面側表面１ｃに露出するように、プレキャストコンクリート版１を形成する。【選択図】　　　図１
2004042540.tif 000002
【特許請求の範囲】
【請求項１】
プレキャストコンクリート版の補強筋を所定のかぶり位置に配筋する配筋用金具であって、
前記補強筋を係止する下側係止部と、
前記配筋用金具を吊り上げるための上側係止部とを備え、
前記下側係止部に前記補強筋を係止して、型枠内の所定のかぶり位置に配筋しつつ、かつ前記上側係止部を前記型枠外に配置可能な位置に設けたことを特徴とする配筋用金具。
【請求項２】
請求項１に記載の配筋用金具において、
前記配筋用金具が曲げられた鉄筋からなることを特徴とする配筋用金具。
【請求項３】
請求項１または２に記載の配筋用金具を用いて、
前記補強筋を前記下側係止部に係止し、
前記上側係止部を吊り上げて、前記配筋用金具を所定高さに保持することにより、前記補強筋を所定位置に配筋することを特徴とする配筋用金具を用いた配筋方法。
【請求項４】
請求項３に記載の配筋用金具を用いた配筋方法を用いて製造されたプレキャストコンクリート版。
【請求項５】
請求項１または２に記載の配筋用金具を用いて、
前記補強筋を前記下側係止部に係止し、
前記上側係止部を前記プレキャストコンクリート版の外側に露出させたことを特徴とするプレキャストコンクリート版。
【発明の詳細な説明】
【０００１】
【発明の属する技術分野】
本発明は、配筋用金具、プレキャストコンクリート版および配筋用金具を用いた配筋方法に関する。
【０００２】
【従来の技術】
従来、プレキャストコンクリート版を製作する際、補強筋を所定のかぶり位置に設置するために配筋用のスペーサを用いていた。配筋用スペーサには、補強筋の外周に嵌め込んで補強筋の径方向のスペースを確保するタイプのスペーサや、補強筋の軸方向先端にかぶせて補強筋の軸方向のスペースを確保するタイプのスペーサなどがあった。いずれの場合も、スペーサは、型枠の内面に当接されたままの状態で、補強筋とともにプレキャストコンクリート版の内部に埋設されていた。
【０００３】
【発明が解決しようとする課題】
しかしながら、上記のような従来の配筋用スペーサおよびそれを用いた配筋方法では、スペーサが型枠に当接しているため、脱型後のプレキャストコンクリート版の表面に配筋用スペーサが露出して、見苦しい外観を呈するという問題があった。
特に、薄肉のプレキャストコンクリート版を製作する場合には、かぶり位置が浅くなり、汎用の配筋用スペーサが使えなかった。そこで、専用のスペーサを製作する必要があった。その結果、配筋用のスペーサが高価なものになってしまうという問題があった。
【０００４】
本発明は、このような問題に鑑みてなされたものであって、プレキャストコンクリート版の型枠面側の表面性を向上することができ、しかも安価に製作することができる配筋用金具、プレキャストコンクリート版および配筋用金具を用いた配筋方法を提供することを目的とする。
【０００５】
【課題を解決するための手段】
上記の課題を解決するために、請求項１に記載の発明では、プレキャストコンクリート版の補強筋を所定のかぶり位置に配筋する配筋用金具であって、前記補強筋を係止する下側係止部と、前記配筋用金具を吊り上げるための上側係止部とを備え、前記下側係止部に前記補強筋を係止して、型枠内の所定のかぶり位置に配筋しつつ、かつ前記上側係止部を前記型枠外に配置可能な位置に設けた構成を用いる。
この発明によれば、下側係止部に補強筋を係止し、型枠外に配置された上側係止部を適宜の手段により上側に吊り上げることにより、配筋用金具を介して、補強筋を所定のかぶり位置に配筋することができる。また、コンクリートの打設中もその位置に保持することができる。
さらに、配筋用金具の吊り下げ高さを変えるだけで、かぶり位置を、調整することができる
【０００６】
請求項２に記載の発明では、請求項１に記載の配筋用金具において、前記配筋用金具が曲げられた鉄筋からなる構成を用いる。
この発明によれば、汎用性の高い安価な鉄筋を、曲げ加工して用いるので、配筋用金具を安価に製作することができる。
【０００７】
請求項３に記載の発明では、請求項１または２に記載の配筋用金具を用いて、前記補強筋を前記下側係止部に係止し、前記上側係止部を吊り上げて、前記配筋用金具を所定高さに保持することにより、前記補強筋を所定位置に配筋することを特徴とする配筋用金具を用いた配筋方法を用いる。
この発明によれば、請求項１または２に記載の作用と同様の作用を備えるので、型枠面に当接する配筋用スペーサを用いることなく、安価に配筋できる配筋方法となる。
【０００８】
請求項４に記載の発明では、プレキャストコンクリート版を、請求項３に記載の配筋用金具を用いた配筋方法を用いて製造する。
この発明によれば、型枠面側にコンクリートのみが露出するプレキャストコンクリート版とすることができる。
【０００９】
請求項５に記載の発明では、請求項１または２に記載の配筋用金具を用いて、前記補強筋を前記下側係止部に係止し、前記上側係止部を前記プレキャストコンクリート版の外側に露出させたことを特徴とするプレキャストコンクリート版を用いる。
この発明によれば、配筋用金具が補強筋と一体化されているので、ジベル筋を兼ねることができる。
【００１０】
【発明の実施の形態】
以下では、本発明の実施の形態を、添付図面を参照して説明する。なおすべての図面を通して、同一または相当する部材は、同一の符号を付している。
まず、本発明の実施形態に係るプレキャストコンクリート版および配筋用金具について説明する。
図１（ａ）は、本発明の実施形態に係るプレキャストコンクリート版１を説明するための斜視説明図である。図１（ｂ）は、図１（ａ）におけるＡ−Ａ断面図である。
【００１１】
本発明の実施形態に係るプレキャストコンクリート版１は、型枠上面側表面１ｃに配筋用金具２…の一部が露出したＲＣ造のプレキャストコンクリート版である。
図１（ｂ）に示したように、プレキャストコンクリート版１の内部には、補強筋３…と補強筋４…とが、互いに交差して組まれている。
配筋用金具２は、鉄筋をＵ字状に曲げて、Ｕ字の内側に所定の大きさの棒状部材が挿通可能な吊り下げ部２ａ（上側係止部）を形成し、そのそれぞれの先端をほぼ直角に折り曲げて図示の水平方向に延びる配筋吊り部２ｂ、２ｂ（下側係止部）を形成したものである。
【００１２】
配筋用金具２は、配筋吊り部２ｂ、２ｂの上に補強筋４、４が係止された状態でプレキャストコンクリート版１の内部に埋め込まれている。そして、補強筋４に係止されている補強筋３は、型枠上面側表面１ｃからかぶり厚さｄ２の位置に配置されている。
吊り下げ部２ａは、型枠上面側表面１ｃの上方に露出され、吊り下げ部２ａと型枠上面側表面１ｃの間には配筋用金具２で囲まれたかまぼこ型の空間が形成されている。
プレキャストコンクリート版１の下面側は、型枠底面側表面１ａからかぶり厚さｄ１の位置に補強筋３が配置されている。したがって、型枠底面側表面１ａはすべてコンクリートで覆われている。
【００１３】
次に、プレキャストコンクリート版１の製造方法を説明する。これは、本発明に係る配筋用金具を用いた配筋方法の一実施形態になっている。
図２（ａ）、（ｂ）は、本発明の実施形態に係るプレキャストコンクリート版１の製造方法を説明するための断面図である。断面方向は、図１のＡ−Ａ断面と同じである。また、図２（ｃ）は、図２（ｂ）のＢ−Ｂ断面図である。
【００１４】
まず、図２（ａ）に示したように、補強筋３…と補強筋４…を交差させて組み立てる。
そして、配筋吊り部２ｂが補強筋４の下側に来るように配筋用金具２をセットし、吊り下げ部２ａの下側に、鋼管などからなる配筋固定竿５を通す。
配筋固定竿５を、例えばクレーンや専用治具など適宜の吊り上げ手段により吊り上げ、型枠６にセットする。
【００１５】
図２（ｂ）は、吊り下げ部２ａを、型枠６内の適正位置に配置した様子を示す。下側の補強筋３は、型枠６の底面から高さｄ１の位置にあり、上側の補強筋３は、型枠６の上面から深さｄ２の位置にある。このような位置関係に配置するためには、配筋用金具２、補強筋３および補強筋４の寸法から、この場合、吊り下げ部２ａの型枠６の底面からの高さＨがいくらになるか算出しておき、吊り下げ部２ａの高さがＨとなるように、配筋固定竿５の高さを調整すればよい。
【００１６】
次に、この状態を保持しながら、型枠６にコンクリートを打設する。
そして、所定の強度が発現するまで養生してから、脱型する。
以上のような工程を経ることにより、図１に示したようなプレキャストコンクリート版１を製造することができる。
【００１７】
このような製造方法によれば、補強筋３、４を配筋用金具２によって吊り上げて保持するから、従来のように型枠面内に配筋用スペーサを当接してかぶり位置を出す方法とは異なり、補強筋３のかぶり位置までの間をコンクリートのみからなるようにすることができる。したがって、型枠底面側表面１ａに異物が露出することがない。その結果、表面性がよく、外観品質の高いプレキャストコンクリート版１を製造することができるという利点がある。
【００１８】
また、かぶり位置を、配筋用金具２の吊り上げ位置を調整することにより自在に変更できるから、かぶり位置によって配筋用金具２の形状を変えなくても必要なかぶり位置に配筋することができる。その結果、配筋用金具２の形状を汎用的な形状に統一することができるという利点がある。
【００１９】
また、かぶり位置を自在に変更できるから、薄型のプレキャストコンクリート版であっても、専用の配筋用スペーサを必要としない。その結果、薄型のプレキャストコンクリート版を安価に製造することができるという利点がある。
【００２０】
次に本実施形態の作用について説明する。
配筋用金具２は、汎用材料である鉄筋を曲げ加工しているので、安価に製造することができる。
【００２１】
プレキャストコンクリート版１は、型枠底面側表面１ａの表面性に優れるから、外観品質が要求される施工部位にプレキャストコンクリート版１を採用することができる。そうすれば、場所打ちにより仕上げる必要がなくなるから、そのような施工の工期を短縮することができ、低コスト化を図ることができるという利点がある。
【００２２】
また、型枠上面側表面１ｃ上に露出した配筋用金具２…は、搬送用に吊り下げ部２ａを利用することもできるので、外観面となる型枠底面側表面１ａを傷つけることなく運搬できるという利点がある。
【００２３】
さらに、型枠上面側表面１ｃから露出した配筋用金具２は、補強筋３、４と一体化された鉄筋となっている。そのため、建築物の取付部位に裏込め材を介して型枠上面側表面１ｃを貼り付ける施工に用いれば、配筋用金具２がジベル筋の役割を果たすから、強固な固定が可能となるという利点がある。
したがって、本発明によれば、薄型で、表面性に優れ、しかも取り付け強度に優れたプレキャストコンクリート版が安価に得られることになる。このようなプレキャストコンクリート版が好適となる施工例として、例えば、トンネル補修版などの例を挙げることができる。
【００２４】
次に、配筋用金具２の変形例について説明する。
図３は、配筋用金具２の変形例の正面視説明図である。いずれも、材質は鉄筋からなるものである。
図３（ａ）は、第１変形例を示す。
配筋用金具２０は、配筋用金具２と同様の吊り下げ部２０ａと配筋吊り部２０ｂ、２０ｂを備える。ただし、配筋用金具２とは異なり、配筋吊り部２０ｂの先端が、さらに直角方向に曲げられた先端曲げ部２０ｃが設けられている。その結果、配筋吊り部２０ｂ上に補強筋４を係止する際の作業性がより一層向上されている。
【００２５】
図３（ｂ）は、第２変形例を示す。
配筋用金具２１は、吊り下げ部２１ａおよび配筋吊り部２１ｂ、２１ｂを備える。吊り下げ部２１ａはＶ字状に曲げられ、配筋吊り部２１ｂは、それぞれ水平方向に折り曲げられている。
本変形例によれば、吊り下げ部２１ａがＶ字のため、配筋固定竿５により吊り上げたときに、水平方向の位置が安定しやすいという利点がある。また、Ｖ字曲げのみで製作できるから、製造コストが安価である。
【００２６】
図３（ｃ）は、第３変形例を示す。
配筋用金具２２は、吊り下げ部２２ａ、２２ａおよび配筋吊り部２２ｂ、２２ｂを備える。吊り下げ部２２ａは、鉄筋をＭ字型に折り曲げることにより形成されている。配筋吊り部２２ｂは、水平方向に折り曲げられている。
本変形例によれば、吊り下げ部２２ａが並列して２箇所に設けられているので、例えば、配筋固定竿５として、Ｈ形鋼を好適に用いることができる。
【００２７】
図３（ｄ）は、第４変形例を示す。
配筋用金具２３は、Ｓ字形状を備え、それぞれの鉤状の湾曲部が、吊り下げ部２３ａ、配筋吊り部２３ｂとなっている。
本変形例によれば、吊り下げ部２３ａ、配筋吊り部２３ｂが、開口した鉤状の湾曲部からなるため、配筋固定竿５および補強筋４への係止作業がきわめて容易となる。その結果、作業効率が向上するという利点がある。
【００２８】
なお、上記の変形例では、第１変形例のみに先端曲げ部２０ｃを設けるとしたが、第２、第３変形例のような形状に追加して設けてもよいことは言うまでもない。
【００２９】
また、上記の説明では、配筋吊り部２ｂ、２１ｂ、２２ｂを水平方向に曲げられた例で説明したが、先端が水平上方を向くように、折り曲げをきつくしてもよい。そうすれば、吊り上げの際、補強筋４をより安定的に係止することができる。
【００３０】
また、上記の説明では、配筋用金具２の例として、すべて鉄筋を折り曲げた例で説明した。しかし、型枠底面側表面１ａをきれいに仕上げるという目的のためには、補強筋３、４を吊り上げ、そのままプレキャストコンクリート版１に埋設可能なものであればよい。したがって、材質を鉄筋に限るものではない。例えば、適宜の鋼板、鋼材からなる金具でもよい。
【００３１】
【発明の効果】
以上に述べたように、本発明によれば、プレキャストコンクリート版の型枠面側の表面性を向上することができ、しかも安価に製作することができるという効果を奏する。
【図面の簡単な説明】
【図１】本発明の実施形態に係るプレキャストコンクリート版を説明するための斜視説明図および断面図である。
【図２】本発明の実施形態に係るプレキャストコンクリート版の製造方法を説明するための断面図である。
【図３】本発明に係る配筋用金具の実施形態の変形例を説明するための正面視説明図である。
【符号の説明】
１　プレキャストコンクリート版
１ａ　型枠底面側表面
１ｃ　型枠上面側表面
２、２０、２１、２２、２３　配筋用金具
２ａ、２０ａ、２１ａ、２２ａ、２３ａ　吊り下げ部（上側係止部）
２ｂ、２０ｂ、２１ｂ、２２ｂ、２３ｂ　配筋吊り部（下側係止部）
３、４　補強筋
６　型枠
２０ｃ　先端曲げ部
【図１】
2004042540.tif 000003
【図２】
2004042540.tif 000004
【図３】
2004042540.tif 000005